(57)【要約】【課題】  同軸ケーブルを容易に接続することができると共に、径の異なる複数の同軸ケーブルに対応できる同軸プラグを提供する。【解決手段】  円筒部材１１及び円筒部材１８を直交して結合する。円筒部材１１の中心にコンタクトピン１２を配置し、円筒部材１８の中心に芯線接続ピン２１を配置し、コンタクトピン１２と芯線接続ピン２１とを電気的に接続する。芯線接続ピン２１の先端に弾性を有する接続片２２ａ、２２ｂを設ける。円筒部材１８に同軸ケーブルの径に対応する内径を有するリング部材２３を嵌合する。接続片２２ａ、２２ｂの間に同軸ケーブル５０の中心導体５１を挿入し、接続片２２ａ、２２ｂにより中心導体５１を挟持する。同軸ケーブル５０の先端部５３をリング部材２３に係合させ、同軸ケーブル５０をケーブル固定金具２４に加締めて固定する。【選択図】        図３
2006012498.tif 000002
【特許請求の範囲】
【請求項１】
互いに結合された第１及び第２の円筒部材と、
前記第１の円筒部材の中心に配置されたコンタクトピンと、
前記第２の円筒部材の中心に配置され、その一端が前記コンタクトピンと接続され、その他端に弾性を有する接続片が設けられた芯線接続ピンと、
前記第２の円筒部材に嵌合され、同軸ケーブルの径に対応する内径を有するリング部材と、
前記第２の円筒部材に固定され、前記同軸ケーブルを加締めて固定するケーブル固定金具とを備え、
前記芯線接続ピンの接続片の間に同軸ケーブルの中心導体を挿入し、前記接続片により前記中心導体を挟持し、前記中心導体と前記芯線接続ピンとを電気的に接続させ、
前記同軸ケーブルの先端部を前記リング部材に係合させ、
前記同軸ケーブルを前記ケーブル固定金具を加締めて固定すると共に、前記同軸ケーブルの外部導体と前記第２の円筒部材とが電気的に接続される
ことを特徴とする同軸プラグ。
【請求項２】
前記リング部材の内径が複数種類の同軸ケーブルに対応して段階状に変化することを特徴とする請求項１に記載の同軸プラグ。
【請求項３】
複数種類の同軸ケーブルにそれぞれ対応する前記リング部材を用意することを特徴とする請求項１に記載の同軸プラグ。
【請求項４】
前記第１の円筒部材の先端が複数の部分に分割され、各部分は弾性を有する分割片とし、前記分割片には外周を覆うリングが設けられることを特徴とする請求項１に記載の同軸プラグ。
【発明の詳細な説明】
【技術分野】
【０００１】
本発明は、同軸ケーブルの先端に取り付けられ、リセプタクルと結合される同軸プラグに関する。
【背景技術】
【０００２】
この種の同軸プラグとして、例えば、特許文献１に示されるように、プラグ部が同軸ケーブルの軸方向と直交するようなＬ型の同軸コネクタが知られている。図９は、特許文献１のＬ型の同軸コネクタを示すものである。
【０００３】
図９に示すように、特許文献１に示されるＬ型プラグでは、同軸ケーブルを取り付ける際に、同軸ケーブル２００の中心導体２０２と外部導体２０４とがその順に露出するように予め剥離加工を施しておき、絶縁性円柱部材１４０の外周壁部１４４に設けられたケーブル保持孔１４４ａに、同軸ケーブル２００の中心導体２０２と外部導体露出部分２０６をその順に挿通し、中心導体２０２がケーブル保持孔１４４ａの反対側から突出して円柱部材１４０から突出したコンタクトピン１１０の後端部に到達すると共に、上記外部導体露出部分２０６の先端部が当該ケーブル保持孔１４４ａ内に保持された状態とし、そして、中心導体２０２をコンタクトピン１１０の後端部に設けられたＵ字状の導体受け部１１０ａに挟み、その導体受け部１１０ａをＵ字部分の幅が狭くなるように加締めたり、その導体受け部１１０ａの箇所に電気溶接や半田付け等を施すことにより、互いに直交した状態のコンタクトピン１１０の後端部と中心導体２０２とを電気的に接続するようにしている。
【特許文献１】特開２０００−２９９１７１号公報
【発明の開示】
【発明が解決しようとする課題】
【０００４】
特許文献１に示される同軸プラグは、上述のように、受け部１１０ａを加締めたり、受け部１１０ａと中心導体２０２とを電気溶接や半田付け等を施して固定したりするものであり、作業性が良好ではない。
【０００５】
また、同軸ケーブルには、その径の異なる複数の種類のものがある。例えば、３Ｃ（３Ｃ２Ｖ、３ＣＦＶ、３ＣＦＢ）の同軸ケーブルはその中心導体の芯周り太さが略３ｍｍであり、４Ｃ（４Ｃ２Ｖ、４ＣＦＶ、４ＣＦＢ）の同軸ケーブルはそのその中心導体の芯周り太さが略４ｍｍであり、５Ｃ（５Ｃ２Ｖ、５ＣＦＶ、５ＣＦＢ）の同軸ケーブルはそのその中心導体の芯周り太さが略５ｍｍである。これらの同軸ケーブルは、いずれもインピーダンスが７５オームで等しいので、どの同軸ケーブルでも同様に用いることができる。
【０００６】
ところが、特許文献１に示される同軸プラグでは、ケーブル保持孔１４４ａに、外部導体露出部分２０６を挿通するようにしている。このような従来の同軸プラグでは、ケーブル保持孔１４４ａの大きさをケーブルの外径の大きさに対応させる必要がある。このため、一つの同軸プラグで径の異なる複数種類の同軸ケーブルに対応することが困難である。
【０００７】
本発明は、上述の課題を鑑み、同軸ケーブルを容易に接続することができると共に、径の異なる複数の同軸ケーブルに対応できる同軸プラグを提供することを目的とする。
【課題を解決するための手段】
【０００８】
上述の課題を解決するために、第１の発明は、互いに結合された第１及び第２の円筒部材と、第１の円筒部材の中心に配置されたコンタクトピンと、第２の円筒部材の中心に配置され、その一端がコンタクトピンと接続され、その他端に弾性を有する接続片が設けられた芯線接続ピンと、第２の円筒部材に嵌合され、同軸ケーブルの径に対応する内径を有するリング部材と、第２の円筒部材に固定され、同軸ケーブルを加締めて固定するケーブル固定金具とを備え、芯線接続ピンの接続片の間に同軸ケーブルの中心導体を挿入し、接続片により中心導体を挟持し、中心導体と芯線接続ピンとを電気的に接続させ、同軸ケーブルの先端部をリング部材に係合させ、同軸ケーブルをケーブル固定金具を加締めて固定すると共に、同軸ケーブルの外部導体と第２の円筒部材とが電気的に接続されることを特徴とする。
【０００９】
第２の発明は、第１の発明において、リング部材の内径が複数種類の同軸ケーブル対応して段階状に変化することを特徴とする。
【００１０】
第３の発明は、第１の発明において、複数種類の同軸ケーブルにそれぞれ対応するリング部材を用意することを特徴とする。
【００１１】
第４の発明は、第１の発明において、第１の円筒部材の先端が複数の部分に分割され、各部分は弾性を有する分割片とし、分割片には外周を覆うリング部材が設けられることを特徴とする。
【発明の効果】
【００１２】
第１の発明によれば、弾性を有する接続片が設けられた芯線接続ピンと、同軸ケーブルの径に対応する内径を有するリング部材とを有するように構成されているので、同軸ケーブルを容易に接続することができると共に、径の異なる複数の同軸ケーブルに対応できる。
【００１３】
第２の発明によれば、リング部材の内径が複数種類の同軸ケーブルに対応して段階状に変化するようにしているので、径の異なる複数の同軸ケーブルでも確実に固定することができる。
【００１４】
第３の発明によれば、複数種類の同軸ケーブルにそれぞれ対応するリング部材を用意するようにしているので、径の異なる複数の同軸ケーブルでも確実に固定することができる。
【００１５】
第４の発明によれば、第１の円筒部材の先端が複数の部分に分割され、各部分は弾性を有する分割片とし、分割片には外周を覆うリング部材が設けられるようにしているので、リセプタクルに確実に固定できると共に、分割片が開きすぎることが防止できる。
【発明を実施するための最良の形態】
【００１６】
実施形態１．
以下、本発明の実施の形態１の同軸プラグを添付図面に基づいて詳細に説明する。図１は、本発明の実施形態１の同軸プラグ１を示すものである。本発明の実施形態１の同軸プラグ１は、同軸ケーブル５０の先端に取り付けられる。同軸プラグ１全体はカバー１０により覆われており、その先端から、円筒導電部材１１が露呈され、円筒導電部材１１の中心に、コンタクトピン１２が配置されている。
【００１７】
同軸ケーブル５０が取り付けられた同軸プラグ１は、アンテナコンセント６０のリセプタクル６１に装着される。装着にあたっては、同軸プラグ１の円筒導電部材１１をリセプタクル６１の先端に係合させた後、円筒導電部材１１をリセプタクル６１側に押し込む。この押し込みによって、コンタクトピン１２がリセプタクル６１の中心孔６２に挿入され、円筒導電部材１１は、リセプタクル６１の外周部６３を覆うように装着される。
【００１８】
図２（Ａ）は、本発明の実施形態１のＬ型同軸プラグ１の断面図であり、図２（Ｂ）は同軸プラグ１の外周に固定されるケーブル固定金具の側面図であり、図２（Ｃ）は同軸プラグ１に取り付けられる同軸ケーブルの側面図である。
【００１９】
図２（Ａ）において、円筒導電部材１１には、絶縁体１３が嵌入される。絶縁体１３の中心には、コンタクトピン１２が挿通されている。これにより、円筒導電部材１１の中心に、コンタクトピン１２が配置される。円筒導電部材１１の内側には、バネ部材１４が設けられる。バネ部材１４は、円筒導電部材１１をアンテナコンセント６０のリセプタクル６１に装着したときに、その接続が確実になるようにするために設けられる。円筒導電部材１１の後端からは、絶縁体１６が嵌入され、円筒導電部材１１の後端面には、蓋体１５が装着される。
【００２０】
円筒導電部材１１には、開口部１７が形成されている。この開口部１７に、円筒導電部材１８の前端が嵌合され、円筒導電部材１１と円筒導電部材１８とが電気的に接続される。円筒導電部材１１と円筒導電部材１８とは、Ｌ字形となるように、直交して配置される。
【００２１】
円筒導電部材１８には、絶縁体１９が嵌入される。絶縁体１９には、芯線接続ピン２１が挿通された取付部材２０が嵌入される。コンタクトピン１２には、挿通孔２５が形成されており、芯線接続ピン２１の先端は、コンタクトピン１２の挿通孔２５に挿入され、コンタクトピン１２と芯線接続ピン２１との間の電気的接続がなされる。芯線接続ピン２１の先端には、弾性を有する金属片からなる接続片２２ａ及び２２ｂが設けられる。接続片２２ａ及び２２ｂは、互いに接触するように付勢されている。
【００２２】
円筒導電部材１８の後端の内周には、リング部材２３が嵌合される。リング部材２３は、その内径が例えば３段階に変化している。リング部材２３の上段２３ａの内径は、例えば３Ｃの同軸ケーブルの中心導体の芯周りの絶縁体の径に対応し、中段２３ｂの内径は、例えば４Ｃの同軸ケーブルの中心導体の芯周りの絶縁体の径に対応し、下段２３ｃの内径は、例えば５Ｃの同軸ケーブルの中心導体の芯周りの絶縁体の径に対応している。
【００２３】
円筒導電部材１８の外周には、図２（Ｂ）に示すようなケーブル固定金具２４が取り付けられる。ケーブル固定金具２４は、図２（Ｂ）に示すように、円環状の保持部３１と、圧着片を有する圧着部３２と、保持部３１と圧着部３２とを連結する連結部３３とから構成される。保持部３１は、円筒導電部材１８の外周に係合される。
【００２４】
次に、本発明の実施形態１の同軸プラグ１と同軸ケーブル５０との接続について説明する。
【００２５】
同軸プラグ１に、同軸ケーブル５０を取り付ける場合には、図２（Ｃ）に示すように、予め同軸ケーブル５０の中心導体５１と外部導体５２とが露出するように剥離加工を施しておく。そして、上述のように剥離加工を施した同軸ケーブル５０の先端をリング部材２３から挿入する。同軸ケーブル５０の先端をリング部材２３に挿入すると、その先端の中心導体５１が芯線接続ピン２１の接続片２２ａ及び２２ｂに接触する。同軸ケーブル５０を更に押し込むと、図３〜図５に示すように、中心導体５１が接続片２２ａ及び２２ｂの間に挿入され、接続片２２ａ及び２２ｂの間に挟持され、中心導体５１と芯線接続ピン２１との電気的接続がなされる。また、このとき、同軸ケーブル５０の先端部５３がリング部材２３内に係合される。
【００２６】
図３は、同軸ケーブル５０として、３Ｃのケーブルを用いたときの状態を示すものである。図４は、同軸ケーブル５０として、４Ｃのケーブルを用いたときの状態を示すものである。図５は、同軸ケーブル５０として、５Ｃのケーブルを用いたときの状態を示すものである。
【００２７】
同軸ケーブル５０として、３Ｃのケーブルを用いたときには、図３に示すように、同軸ケーブル５０の先端部５３がリング部材２３の上段２３ａ内に係合される。同軸ケーブル５０として、４Ｃのケーブルを用いたときには、図４に示すように、同軸ケーブル５０の先端部５３がリング部材２３の中段２３ｂ内に係合される。同軸ケーブル５０として、５Ｃのケーブルを用いたときには、図５に示すように、同軸ケーブル５０の先端部５３がリング部材２３の下段２３ｃ内に係合される。このように、同軸ケーブルの径が変わってもの、同軸ケーブル５０の先端部５３は、リング部材２３の上段２３ａ、中段２３ｂ、下段２３ｃのいずれかと係合する。
【００２８】
そして、同軸ケーブル５０の外部導体５２が露呈されている部分をケーブル固定金具２４の圧着部３２の間に挿入し、圧着部３２を加締める。この加締めにより、同軸ケーブル５０が同軸プラグ１に確実に固定されると共に、同軸ケーブル５０の外部導体５２とケーブル固定金具２４とが電気的に接続される。
【００２９】
以上のように、本発明の実施形態１の同軸プラグでは、同軸ケーブル５０の中心導体５１を接続片２２ａ及び２２ｂの間に挿入して、中心導体５１とコンタクトピン１２とを電気的に接続するようにしている。接続片２２ａ及び２２ｂは弾性を有しており、互いに近接されるように付勢されている。このため、接続片２２ａ及び２２ｂ内に中心導体５１が挿入されると、接続片２２ａ及び２２ｂが中心導体５１を挟持する。このように、同軸ケーブル５０の中心導体５１を接続片２２ａ及び２２ｂの間に挿入するだけで、同軸ケーブル５０の中心導体５１とコンタクトピン１２とを簡単に電気的に接続させることができ、電気溶接や半田付けによる固定が不要である。また、接触部２３ａ及び２３ｂが互いに近接するように付勢されているため、中心導体５１の径の大きさが変わっても、接触部２３ａ及び２３ｂと中心導体５１との電気的な接続を保持することができる。
【００３０】
また、リング部材２３の内径は、同軸ケーブルの径に対応して、階段状に変化している。このため、同軸ケーブル５０の径の大きさが変わってもの、同軸ケーブル５０の先端部５３は、リング部材２３の上段２３ａ、中段２３ｂ、下段２３ｃのいずれかと確実に係合する。
【００３１】
そして、ケーブル固定金具２４の圧着部３２を加締めることにより、同軸ケーブル５０の径にかかわらず、同軸プラグ１に同軸ケーブル５０を確実に固定することができる。
【００３２】
また、本発明の同軸プラグ１では、同軸ケーブル５０を取り付けたときに、図３〜図５に示すように、同軸ケーブル５０の中心導体５１が円筒導電部材１８内に位置する。このため、外部からのノイズが円筒導電部材１８によりシールドされ、同軸ケーブル５０の中心導体５１に飛び込むことが防止される。
【００３３】
実施形態２．
図６は、本発明の実施形態２の同軸プラグを示すものである。前述の実施形態１では、上段２３ａ、中段２３ｂ、下段２３ｃで内径の異なるリング部材２３を用いている。これに対して、この実施形態２では、各同軸ケーブルの径に対応したリング部材７３ａ、７３ｂ、７３ｃがそれぞれ用意される。リング部材７３ａ内径は、例えば３Ｃの同軸ケーブルの径に対応し、リング部材７３ｂの内径は、例えば４Ｃの同軸ケーブルの径に対応し、リング部材７３ｃの内径は、例えば５Ｃの同軸ケーブルの径に対応している。同軸プラグ１に３Ｃの同軸ケーブル５０を取り付ける際には、円筒導電部材１８の後端にリング部材７３ａを装着する。同軸プラグ１に４Ｃの同軸ケーブル５０を取り付ける際には、円筒導電部材１８の後端にリング部材７３ｂを装着する。同軸プラグ１に５Ｃの同軸ケーブル５０を取り付ける際には、円筒導電部材１８の後端にリング部材７３ｃを装着する。このように、同軸プラグ１に取り付けられる同軸ケーブル５０の径に応じて、円筒導電部材１８にリング部材７３ａ、７３ｂ、７３ｃを選択的に取り付けることで、径の大きさの異なる複数の同軸ケーブルに対応できる。
【００３４】
なお、円筒導電部材１８の内径を同軸ケーブルの最大径である５Ｃの同軸ケーブルの径にしておき、同軸プラグ１に３Ｃ、４Ｃの同軸ケーブル５０を取り付ける際にのみ、円筒導電部材１８にリング部材を装着するようにしてもよい。
【００３５】
実施形態３．
図７は、本発明の実施形態３を示すものである。上述の実施形態１、２では、円筒導電部材１１の内側に、バネ部材１４を設けている。これに対して、この実施形態３では、図７に示すように、円筒導電部材１１の先端を複数の分割片８１で構成するようにしている。すなわち、円筒導電部材１１は、図８に示すように、その先端が複数の分割片８１で構成され、分割片８１は弾性を有している。分割片８１の外面には、分割片８１をレセプタクル６１の外周部６３に挿入したときに、分割片８１が外側に開きすぎることを防止するリング８３が設けられる。同軸プラグ１をアンテナコンセント６０のリセプタクル６１に装着するにあたっては、分割片８１をリセプタクル６１の外周部６３の先端に係合させた後、分割片８１をリセプタクル６１側に押し込む。この押し込みによって、コンタクトピン１２がリセプタクル６１の中心孔６２に挿入される。このときに、分割片８１は、外周部６３の外周によって弾性変形させられ、外周部６３の外部を覆うように進入する。これにより、同軸プラグ１がアンテナコンセント６０のリセプタクル６１に確実に固定される。
【００３６】
本発明は、上述した実施形態に限定されるものではなく、この発明の要旨を逸脱しない範囲内で様々な変形や応用が可能である。また、上述の例では、同軸ケーブルとして３Ｃ、４Ｃ、５Ｃの同軸ケーブルの例について説明したが、他の径の場合も同様である。また、本発明は、７５オームの同軸ケーブルばかりでなく、３Ｄ、４Ｄ、５Ｄのような５０オームの同軸ケーブルの場合にも同様に用いることができる。
【産業上の利用可能性】
【００３７】
本発明は、アンテナコンセントのリセプタクルと結合される同軸プラグに利用することができる。
【図面の簡単な説明】
【００３８】
【図１】本発明の同軸プラグをリセプタクルに結合する前の状態を示す図である。
【図２】本発明の第１の実施形態の同軸プラグの一部断面図及び一部端面図、ケーブル固定金具の側面図、同軸ケーブルの側面図である。
【図３】本発明の第１の実施形態の同軸プラグに３Ｃの同軸ケーブルを取り付けた状態を示す一部断面図及び一部端面図である。
【図４】本発明の第１の実施形態の同軸プラグに４Ｃの同軸ケーブルを取り付けた状態を示す一部断面図及び一部端面図である。
【図５】本発明の第１の実施形態の同軸プラグに５Ｃの同軸ケーブルを取り付けた状態を示す一部断面図及び一部端面図である。
【図６】本発明の第２の実施形態の同軸プラグの一部断面図及び一部端面図である。
【図７】本発明の第３の実施形態の同軸プラグの一部断面図及び一部端面図である。
【図８】本発明の第３の実施形態の同軸プラグの分割片を示す断面斜視図である。
【図９】従来のL型の同軸プラグの説明に用いる断面斜視図である。
【符号の説明】
【００３９】
１  同軸プラグ
１０  カバー
１１  円筒導電部材
１２  コンタクトピン
１３  絶縁体
１４  バネ部材
１５  蓋体
１６  絶縁体
１７  開口部
１８  円筒導電部材
１９  絶縁体
２０  取付部材
２１  芯線接続ピン
２２ａ、２２ｂ  接続片
２３  リング部材
２４  ケーブル固定金具
２５  挿通孔
３１  保持部
３２  圧着部
３３  連結部
５０  同軸ケーブル
５１  中心導体
５２  外部導体
５３  先端部
６０  アンテナコンセント
６１  リセプタクル
６２  中心孔
６３  外周部
７３ａ  リング部材
７３ｂ  リング部材
７３ｃ  リング部材
８１ 分割片
８２ ネジ部
８３ リング
【図１】
2006012498.tif 000003
【図２】
2006012498.tif 000004
【図３】
2006012498.tif 000005
【図４】
2006012498.tif 000006
【図５】
2006012498.tif 000007
【図６】
2006012498.tif 000008
【図７】
2006012498.tif 000009
【図８】
2006012498.tif 000010
【図９】
2006012498.tif 000011